(57)【要約】      （修正有）【課題】所望するフォーカス位置を容易に再現することができ、また製造誤差等による合焦位置のズレを解消することができる撮像装置を提供する。【解決手段】フォーカスレンズ１１２を含む光学系１１０と、被写体像を撮像して画像データを生成するCCDイメージセンサ１２０と、フォーカスレンズ１１２を光軸上に沿って移動させながら、複数の画像データを取得するコントローラ１５０と、生成された複数の画像を表示する液晶モニタ１７０と、表示された前記複数の画像の中から一つを選択するための操作部１８０と、選択した画像データを撮像したときのフォーカスレンズ位置に関する情報を記憶するEEPROM１６０とを備え、コントローラ１５０は、EEPROM１６０に記憶したフォーカスレンズ位置に関する情報に応じて、オートフォーカス制御を調整する。【選択図】図１
2011048341.tif 000002
【特許請求の範囲】
【請求項１】
被写体像のフォーカス状態を調節するフォーカスレンズを含む光学系と、
前記光学系を介して得られる被写体像を撮像して画像データを生成する撮像手段と、
前記フォーカスレンズを光軸に沿って移動させながら、前記撮像手段で生成された複数の画像データを取得する制御手段と、
前記生成された複数の画像データに基づく画像を表示する表示手段と、
前記表示手段に表示された前記複数の画像の中から一つを選択するための使用者の指示を受け付ける受付手段と、
前記受付手段によって選択された画像データを撮像したときのフォーカスレンズ位置に関する情報を記憶する記憶手段と、
前記記憶したフォーカスレンズ位置に関する情報に応じて、オートフォーカス制御を調節するオートフォーカス制御調節手段と、
を備える撮像装置。
【請求項２】
前記請求項１に記載の撮像装置において、
前記制御手段は、前記フォーカスレンズを前記光軸に沿って所定量ずつ移動させながら、前記撮像手段で生成された複数の画像データを取得し、
前記所定量は、許容錯乱円の直径と光学系のＦ値の積である、
撮像装置。
【請求項３】
前記請求項１に記載の撮像装置において、
前記フォーカスレンズ位置に関する情報は、オートフォーカス動作完了時の前記フォーカスレンズの位置と、選択した画像データを撮像したときのフォーカスレンズの位置との差を示す情報である、
撮像装置。
【請求項４】
前記請求項１に記載の撮像装置において、
前記オートフォーカス制御調節手段は、ズームレンズの位置と、光学系のＦ値と、被写体距離とに基づいてフォーカスレンズの単位移動量を求め、前記求めたフォーカスレンズの単位移動量と、前記フォーカスレンズ位置に関する情報とに基づきフォーカスレンズ移動量を求め、前記フォーカスレンズをオートフォーカス動作完了時の合焦位置から前記フォーカスレンズ移動量だけ移動させる、
撮像装置。
【請求項５】
カメラ本体と交換レンズとで構成される撮像装置であって、
前記交換レンズは、
被写体像のフォーカス状態を調節するフォーカスレンズを含む光学系と、
当該交換レンズを特定する識別情報を記憶する記憶手段と、
を備え、
前記カメラ本体は、
前記交換レンズを介して得られる被写体像を撮像して画像データを生成する撮像手段と、
前記フォーカスレンズを光軸に沿って移動させながら、前記撮像手段で生成された複数の画像データを取得する制御手段と、
前記生成された複数の画像データに基づく画像を表示する表示手段と、
前記表示手段に表示された前記複数の画像の中から一つを選択するための使用者の指示を受け付ける受付手段と、
前記受付手段によって選択された画像データを撮像したときのフォーカスレンズ位置に関する情報、及び前記交換レンズの識別情報を記憶する記憶手段と、
前記記憶したフォーカスレンズ位置に関する情報、及び前記交換レンズの前記識別情報に応じて、オートフォーカス制御を調節するオートフォーカス制御調節手段と、
を備える撮像装置。
【請求項６】
前記請求項５に記載の撮像装置において、
前記制御手段は、前記フォーカスレンズを前記光軸に沿って所定量ずつ移動させながら、前記撮像手段で生成された複数の画像データを取得し、
前記所定量は、許容錯乱円の直径と光学系のＦ値の積である、
撮像装置。
【請求項７】
前記請求項５に記載の撮像装置において、
前記フォーカスレンズ位置に関する情報は、オートフォーカス動作完了時のフォーカスレンズの位置と、選択した画像データを撮像したときのフォーカスレンズの位置との差を示す情報である、
撮像装置。
【請求項８】
前記請求項５に記載の撮像装置において、
前記オートフォーカス制御調節手段は、ズームレンズの位置と、光学系のＦ値と、被写体距離とに基づいてフォーカスレンズの単位移動量を求め、前記求めたフォーカスレンズの単位移動量と、前記フォーカスレンズ位置に関する情報とに基づきフォーカスレンズ移動量を求め、前記フォーカスレンズをオートフォーカス動作完了時の合焦位置から前記フォーカスレンズ移動量だけ移動させる、
撮像装置。
【発明の詳細な説明】
【技術分野】
【０００１】
フォーカスレンズ位置を調節可能な撮像装置に関する。
【背景技術】
【０００２】
従来、フォーカス位置を順次変更しながら連続的に撮影するフォーカスブラケット撮影の技術が知られている。例えば、特許文献１は、複数のフォーカス位置でフォーカスブラケット撮影した複数の画像の中から、使用者所望の領域に合焦した画像を選択して記録できる撮像装置を開示している。
【先行技術文献】
【特許文献】
【０００３】
【特許文献１】特開２００８−２６３４８６号公報
【発明の概要】
【発明が解決しようとする課題】
【０００４】
上記特許文献１に記載のものにおいては、使用者が所望するフォーカス位置の画像を得るためには、使用者は、撮影の都度、フォーカスブラケット撮影し、その後、画像の選択を行わねばならず、使い勝手が良くなかった。
【０００５】
また、撮像装置を構成する光学系の寸法誤差や配置誤差等により撮像装置がオートフォーカス動作を行ったときに定まるフォーカス位置(以後、このフォーカス位置を合焦位置という）にズレが生じる場合がある。このような場合にズレを解消するために特許文献１に記載の技術を利用しようとすると、撮影の都度上記操作を行わねばならず、操作が煩雑となって、非現実的である。
【０００６】
本発明は上記課題を鑑みてなされたものであり、使用者が所望するフォーカス位置を容易に再現することができ、また撮像装置の製造誤差等による合焦位置のズレを解消することができる撮像装置を提供することを目的とする。
【課題を解決するための手段】
【０００７】
第１の態様の撮像装置は、被写体像のフォーカス状態を調節するフォーカスレンズを含む光学系と、前記光学系を介して得られる被写体像を撮像して画像データを生成する撮像手段と、前記フォーカスレンズを光軸に沿って移動させながら、前記撮像手段で生成された複数の画像データを取得する制御手段と、前記生成された複数の画像データに基づく画像を表示する表示手段と、前記表示手段に表示された前記複数の画像の中から一つを選択するための使用者の指示を受け付ける受付手段と、前記受付手段によって選択された画像データを撮像したときのフォーカスレンズ位置に関する情報を記憶する記憶手段と、前記記憶したフォーカスレンズ位置に関する情報に応じて、オートフォーカス制御を調整するオートフォーカス制御調節手段と、を備える。
【０００８】
第２の態様の撮像装置は、カメラ本体と交換レンズとで構成される。前記交換レンズは、  被写体像のフォーカス状態を調節するフォーカスレンズを含む光学系と、当該交換レンズを特定する識別情報を記憶する記憶手段と、を備える。前記カメラ本体は、前記交換レンズを介して得られる被写体像を撮像して画像データを生成する撮像手段と、前記フォーカスレンズを光軸に沿って移動させながら、前記撮像手段で生成された複数の画像データを取得する制御手段と、前記生成された複数の画像データに基づく画像を表示する表示手段と、前記表示手段に表示された前記複数の画像の中から一つを選択するための使用者の指示を受け付ける受付手段と、前記受付手段によって選択された画像データを撮像したときのフォーカスレンズ位置に関する情報、及び前記交換レンズの固有番号を記憶する記憶手段と、前記記憶したフォーカスレンズ位置に関する情報、及び前記交換レンズの前記識別情報に応じて、オートフォーカス制御を調整するオートフォーカス制御調節手段と、を備える。
【発明の効果】
【０００９】
本発明によれば、フォーカスレンズを光軸上に沿って移動させながら撮像した複数の画像データのうち、使用者が選択した画像データが撮像されたときのフォーカスレンズ位置に関する情報に応じて、オートフォーカス制御が調整される。その場合に、フォーカスレンズ位置に関する情報が撮像装置に記憶される。これにより、使用者が一度選択操作を行うだけで、以後、使用者が所望するフォーカス位置を容易に再現することができ、また撮像装置の製造誤差等による合焦位置のズレを解消することができる。
【図面の簡単な説明】
【００１０】
【図１】実施の形態１に係るデジタルカメラの電気的構成図である。
【図２】デジタルカメラの背面図である。
【図３】フォーカス微調整モードにおける制御動作のフローチャートである。
【図４】フォーカス微調整モード選択画面のイメージ図である。
【図５】フォーカスレンズ位置に対するコントラスト値の変化を示す図である。
【図６】フォーカス微調整用画像の選択画面のイメージ図である。
【図７】撮影時等におけるフォーカス微調整の制御動作のフローチャートである。
【図８】焦点距離および被写体距離に対するフォーカスレンズの移動量を示すテーブルである。
【図９】ズームトラッキングカーブの説明図である。
【図１０】実施の形態２に係るデジタルカメラの電気的構成図である。
【発明を実施するための形態】
【００１１】
（実施の形態１）
実施の形態１に係るデジタルカメラについて説明する。実施の形態１に係るデジタルカメラは、使用者が所望するフォーカス位置を容易に微調整可能に構成されている。以下、図を参照して、実施の形態１に係るデジタルカメラの構成および動作を説明する。
【００１２】
１．構成
まず、実施の形態１に係るデジタルカメラの電気的構成および背面の構成について説明する。図１は、実施の形態１に係るデジタルカメラ１００の電気的構成図である。
【００１３】
デジタルカメラ１００は、光学系１１０、CCDイメージセンサ１２０、ADC（アナログデジタルコンバータ）１２１、画像処理部１３０、液晶モニタ１７０、バッファメモリ１４０、コントローラ１５０、EEPROM１６０、及び操作部１８０を有している。また、デジタルカメラ１００は、撮像した画像データを記録可能なメモリカード１９２を格納可能に構成されている。
【００１４】
光学系１１０により集光された光はCCDイメージセンサ１２０に結像される。CCDイメージセンサ１２０は、結像された光を電荷に変換しアナログ信号である画像信号を生成する。CCDイメージセンサ１２０により生成された画像信号は、ADC１２１に伝送される。ADC１２１は、伝送されたアナログ画像信号をデジタル信号に変換し、画像処理部１３０に伝送する。画像処理部１３０は、伝送された画像データに対して、ガンマ補正、ホワイトバランス補正、ＹＣ変換処理、電子ズーム処理、圧縮処理、伸張処理等の処理を施す。画像処理部１３０によって各種処理を施された画像データは、メモリカード１９２に保存される。なお、使用者は操作部１８０を操作することにより画像データをメモリカード１９２に保存するか否かを選択することができる。液晶モニタ１７０は、CCDイメージセンサ１２０により生成されてADC１２１、画像処理部１３０を介して伝送されてくる画像データや、メモリカードに保存されている画像データに基づく画像を表示することができる。
【００１５】
コントローラ１５０はデジタルカメラ１００の全体の動作を制御する。コントローラ１５０は、プログラム等の情報を格納するＲＯＭや、プログラム等の情報を処理するＣＰＵなどを含む。ＲＯＭは、オートフォーカス制御動作に関するプログラムの他、デジタルカメラ１００全体の動作を統括制御するためのプログラムを格納している。
【００１６】
バッファメモリ１４０は、画像処理部１３０や、コントローラ１５０のワークメモリとして機能する記憶手段である。
【００１７】
光学系１１０は、ズームレンズ１１１、フォーカスレンズ１１２及び絞り１１６を含む。ズームレンズ１１１は、被写体像の拡大・縮小を行う。フォーカスレンズ１１２は、被写体像のフォーカス状態を調整する。絞り１１６は、光学系１１０を通過する光の量(Ｆ値)を調整する。
【００１８】
ズームモータ１１３は、コントローラ１５０からの指示に従ってズームレンズ１１１を駆動する。フォーカスモータ１１４は、コントローラ１５０からの指示に従ってフォーカスレンズ１１２を駆動する。絞り駆動モータ１１５は、コントローラ１５０からの指示に従って絞り１１６を駆動する。ズームモータ１１３、フォーカスモータ１１４、絞り駆動モータ１１５には、ＤＣモータ、ステッピングモータ、リニアモータなどが適用可能である。
【００１９】
EEPROM１６０はレンズ制御に必要な情報を格納している。例えば、EEPROM１６０は、ズームモータ１１３およびフォーカスモータ１１４を駆動するためのトラッキングカーブデータ、および移動量参照テーブル（詳細については後述する）を格納している。トラッキングカーブは、被写体距離ごとに設定されたフォーカスレンズ位置およびズームレンズ位置の関係曲線である。コントローラ１５０は、読み出したトラッキングカーブに基づいてフォーカスモータ１１４及びズームモータ１１３に対して駆動を指示する。
【００２０】
図２は、実施の形態１に係るデジタルカメラ１００本体の背面図である。デジタルカメラ１００本体の背面および上面には、ズームダイアル１８２、レリーズ釦１８１、上キー１８４、右キー１８５、下キー１８６、左キー１８７、中央釦１８３、液晶モニタ１７０等が配置されている。これらの構成要素は、図１の操作部１８０を構成する。液晶モニタ１７０はタッチパネル方式であってもよい。
【００２１】
コントローラ１５０は、ズームダイアル１８２が使用者により操作されると、被写体を広角または望遠での撮影を可能とするように拡大縮小倍率の調節を行う。具体的には、コントローラ１５０は、使用者によるズームダイアル１８２の操作に応じて、ズームモータ１１３を駆動するための制御信号を生成する。
【００２２】
レリーズ釦１８１は半押し、全押しの2段階入力が可能に構成されている。コントローラ１５０は、レリーズ釦１８１が半押しされると、オートフォーカス制御動作を実行し、レリーズ釦１８１が全押しされると、撮像した画像データをメモリカード１９２に保存する。コントローラ１５０は、撮影時や再生時に中央釦１８３が押されると、撮影や再生に関するメニュー画面を呼び出して、液晶モニタ１７０に表示する。一方、メニュー画面が表示されているときに、中央釦１８３が押されて表示項目が選択されたときは、コントローラ１５０は、選択した表示項目に関する制御を実行する。
【００２３】
２．動作
続いて、実施の形態１に係るデジタルカメラ１００の動作について図を用いて説明する。本実施形態のデジタルカメラ１００は、使用者がフォーカス位置を好みの状態に微調整してその状態を設定できる機能を有している。また、このデジタルカメラ１００は、使用者によりフォーカス位置が微調整された場合、以後の撮像時には、この微調整したフォーカス位置が実現されるようにオートフォーカス制御を可能とする。以下、その制御について、図３、図７のフローチャート等を参照して説明する。
【００２４】
２．１  フォーカス微調整量の設定
図３は、デジタルカメラ１００のフォーカス微調整量の設定の動作のフローチャートである。この動作は、コントローラ１５０により制御される。デジタルカメラ１００が撮影モードもしくは再生モードにある状態において、使用者により中央釦１８３が押下されると、コントローラ１５０は、液晶モニタ１７０にメニュー画面を表示する。使用者によりメニュー画面からフォーカス微調整モードが選択されると（S11）、コントローラ１５０は、図４に示すように液晶モニタ１７０に”フォーカス微調整モード”と表示させるとともに、使用者によりレリーズ釦１８１が半押しされたかどうかを監視する（S12）。使用者によりレリーズ釦１８１が半押しされると、コントローラ１５０は、被写体に合焦するようにオートフォーカス制御動作を行う（S13）。なお、コントローラ１５０は、常時、絞り駆動モータ１１５を駆動し、光学系１１０を通過する光量が最適露出となるように調整をしている。
【００２５】
オートフォーカス制御動作が完了すると、コントローラ１５０は被写体への合焦が完了した旨のサインを液晶モニタ１７０に表示する。その後、使用者によりレリーズ釦１８１が全押しされると（S14）、コントローラ１５０はフォーカス微調整等の設定動作を実行する。
【００２６】
以下、フォーカス微調整量の設定動作の詳細について説明する。図５は、フォーカス位置に対する、ＣＣＤ１２０で撮影された画像のコントラスト値の変化を示す図である。まず、コントローラ１５０は、フォーカスモータ１１４を駆動させて、フォーカスレンズ１１２を合焦位置からCCDイメージセンサ１２０側にｍ×Ｌ移動させる（S15）。ここで、合焦位置とは、デジタルカメラ１００がオートフォーカス動作を行ったときに定まるフォーカス位置である。また、値ｍは、本実施の形態では一例として３に設定されている。このフォーカスレンズ１１２の位置を、フォーカス微調整モードにおける開始位置とする。Lは単位移動量であり、フォーカス位置を像面で（合焦位置で）Fδ分だけ動かすために必要なフォーカスレンズ１１２の移動量であり、被写体距離、焦点距離とＦ値により一意に決まる。Ｆは光学系のＦ値であり、δは許容錯乱円の直径である。Fδは、フォーカスレンズ１１２が移動した際に画像上でボケを感じない像面移動量である。具体的には、Fδは、CCDイメージセンサ１２０のセルサイズ2画素分の距離δと光学系１１０のF値の積である。LをこのようなＦδに基づいて設定することにより、オートブラケット撮影した隣接する画像間のフォーカス状態の差を一般的使用者が十分に認識することができる。例えば、LをＦδよりも小さい値に設定すると、隣接する画像間のフォーカス状態の差を把握しにくくなる。本実施形態においては、LをＦδに設定するので、このような問題が生じることがない。一方、Lを例えばＦδよりも大きい値に設定すると、隣接する画像間のフォーカス位置が大きくずれることとなり、フォーカス状態の差が大きくなる。よって、使用者が好みのフォーカス状態が得られない場合がある。つまり、使用者にとっていずれの画像も満足できない場合が生じ得る。しかし、本実施形態では、Lが、画像上でボケを感じないＦδに基づいて設定されているので、使用者の好みのフォーカス状態となるフォーカス位置が隣接する画像間に存在するとしても、いずれかの画像において使用者の好みのフォーカス状態が再現される。つまり、使用者が満足を得られる可能性が高くなる。
任意のFδに対し、被写体距離、焦点距離、F値ごとに対応するLが存在する。フォーカスレンズ１１２の移動完了後、コントローラ１５０は、CCDイメージセンサ１２０により被写体の撮像を行う（S16）。コントローラ１５０は、撮像された画像データをバッファメモリ１４０に一時的に保存する。
【００２７】
コントローラ１５０は、フォーカス微調整動作において撮像されたバッファ１４０内の画像データの数をカウントし、所定の数（上記ｍ×２＋１）に達したか否か判定する（S17）。例えば本実施形態では合焦点及び合焦点を中心として前後３箇所（合焦点±３×単位移動量Ｌ）にフォーカスレンズ１１２を移動させて画像データを撮像する。この例では、合計７箇所で撮像されることとなる。コントローラ１５０は、画像データの数が７個に達していない場合、フォーカスモータ１１４にフォーカスレンズ１１２を1単位移動量Ｌ分、被写体方向に移動させる指令を送る（S1８）。コントローラ１５０は、画像データ数が７に達するまで、ステップS１６からステップS１８までの動作を繰り返す。なお上記例では、前後３箇所で撮像することとしたが、これに限定されない。また、上記例ではFδ＝F値×撮像素子2画素分としたが、これに限定されるものではなく任意に決定可能である。
【００２８】
フォーカス微調整動作により撮像した画像データの数が所定の数に達すると、コントローラ１５０は、液晶モニタ１７０にバッファ１４０に保存された画像データに基づく画像をサムネイル表示する（S19）。サムネイル画像は、撮像した画像の全体であってもよいが、本実施形態では、図６の画像D１２のように合焦した被写体付近のみの拡大画像とする。これにより、使用者は、ブラケット撮影したそれぞれの画像の比較を容易に行うことできる。コントローラ１５０は、表示されたサムネイル画像の中から使用者が好む合焦状態の画像を選択するよう促す表示D１４を液晶モニタ１７０に表示する。
【００２９】
コントローラ１５０は、表示されたサムネイル画像の中から使用者が好みの合焦状態の画像を選択し、決定したか否かを判定する（S20)。ここで、使用者は、上キー１８４、右キー１８５、下キー１８６、左キー１８７を押すことで最も好みの合焦状態である画像データを選択することができる。コントローラ１５０は、使用者により選択されている画像データに対して、液晶モニタ１７０において選択枠D１３を表示する。使用者は、選択した画像の決定を行いたい場合、中央釦１８３を押すことで画像を決定することができる。
【００３０】
コントローラ１５０は、使用者の操作により画像が選択及び決定されると、選択及び決定された画像のフォーカスレンズ位置と、被写体の合焦位置において撮像した画像のフォーカスレンズ位置とを比較する。そして、コントローラ１５０は、それぞれの画像データ撮影時におけるフォーカスレンズ１１２の位置の差（ズレ量）を単位移動量Ｌで除算し、その結果をEEPROM１６０に記録する（S21）。例えば、フォーカスレンズ１１２の位置の差（ズレ量）がｎ×Ｌであるとき、「ｎ」の値を記憶する。以下、このときのｎの値を「微調整量」という。すなわち、EEPROM１６０は、コントローラ１５０によって被写体に合焦したと判定したときのフォーカスレンズ位置（図５の４の位置）と、使用者所望の合焦状態の画像データを撮像したときのフォーカスレンズ位置との間のズレ量に対応する情報である微調整量ｎを記憶する。コントローラ１５０は、記憶した微調整量ｎを次回以降のフォーカス微調整動作の設定値として利用する。フォーカス微調整動作の詳細は後述する。
【００３１】
以上説明したように、実施の形態１に係るデジタルカメラによれば、使用者はフォーカス微調整量の設定を行うことができる。
【００３２】
また、実施の形態１に係るデジタルカメラにおいては、上記のようにして設定した微調整量ｎを他の被写体を撮像するときにも適用することができる。以下、フォーカスレンズ１１２の微調整動作を説明する。
【００３３】
２．２  フォーカス微調整動作
図７は、フォーカス微調整の制御動作のフローチャートである。この動作は、コントローラ１５０により制御される。EEPROM１６０には、事前に上記ステップS21での制御動作によりフォーカスレンズ位置の微調整量ｎが設定されているものとする。
【００３４】
デジタルカメラ１００が撮影モードの状態のとき、コントローラ１５０は、使用者によりレリーズ釦１８１が半押し操作されると、被写体に対しオートフォーカス制御動作を実行する（S22）。続いて、オートフォーカス制御動作によって決定されたズームレンズ１１１とフォーカスレンズ１１２の位置から、ズームトラッキングカーブを参照することでオートフォーカス動作終了時の被写体距離を決定する（S23）。図９にズームトラッキングカーブを示す。ズームトラッキングカーブは、被写体距離ごとの、ズームレンズ位置に対するフォーカスレンズ位置の関係図である。ズームトラッキングカーブを参照することで、デジタルカメラ１００の現在のズームレンズ１１１とフォーカスレンズ１１２の位置から、被写体距離を一意に決定することができる。
【００３５】
続いて、コントローラ１５０は、決定した被写体距離と、ズームレンズ１１１の位置（焦点距離情報）及びF値（絞り値情報）とから、単位移動量Ｌ′を求める（S24）。単位移動量Ｌ′とは、現在のズームレンズ位置、F値、被写体距離の条件のときに、図３に示す微調整量の設定で用いた単位移動量Lを再現するためのフォーカスレンズの移動量（以下、L´と呼称する）である。この単位移動量L´を求めるために、コントローラ１５０は、図８に示す移動量参照テーブルを参照する。移動量参照テーブルは、焦点距離及び被写体距離により決定されるL´の値をＦ値ごとにテーブルにしたものである。例えば、被写体距離が1ｍ、F値が2.8、広角端のときのL´の値は26μｍである。
【００３６】
コントローラ１５０は、EEPROM１６０から図３のステップS21にて記憶したフォーカスレンズ位置の微調整量ｎを読み出す。そして、このｎを利用して、フォーカスレンズ移動量を算出する。例えば、微調整量ｎが＋２であるとき、コントローラ１５０は、２×L´をフォーカスレンズ移動量として算出する。コントローラ１５０はフォーカスモータ１１４を駆動し、フォーカスレンズ１１２を、オートフォーカス動作により一度定めた合焦位置から、上記フォーカスレンズ移動量だけ移動させる（S25）。
【００３７】
その後、使用者によりレリーズ釦１８１が全押しされると、コントローラ１５０は、上記フォーカスレンズ移動量で微調整されたフォーカスレンズ位置で画像を撮像し、生成した画像データをメモリカード１９２に保存する。
【００３８】
以上のように、本実施形態のデジタルカメラ１００は、使用者が所望するフォーカスレンズ位置のズレを容易に再現することができる。
【００３９】
３．まとめ
本実施形態のデジタルカメラ１００によれば、例えば、カメラに関する知識を持たない使用者でも、ボケを生かした画像を容易に撮影することができる。また、デジタルカメラで花等を撮影する際に、使用者が合焦点より手前若しくは奥にピントを合わせたい場合、本実施形態のデジタルカメラ１００によれば、使用者は、合焦点を中心に複数枚撮影された画像の中から自分が最も好むピントとなる画像を視覚的に選択することで、容易に所望の画像を得ることが出来る。
【００４０】
また、フォーカス状態に関する情報がEEPROM１６０Ａに記憶されるので、撮影する被写体までの距離に拠らず、上記選択及び決定操作によって選択した画像と同じピントズレを再現することが出来る。例えば、使用者が、ピント位置が合焦点から一定距離ずれた位置にある描写を好む場合、一度好みの画像を選択・設定するだけで、以降、被写体距離に拠らず毎回同じピントのズレを実現することが出来る。例えば花のマクロ撮影時には前方に突出するメシベやオシベに合焦しやすいが、上記のように使用者は好みの画像を設定する（デジタルカメラ１００においては微調整量ｎを設定する）ことにより、メシベやオシベでなく花びらにピントをあわせることもできる。また、逆に、デジタルカメラ１００の製造誤差等による合焦位置のズレがあるとき、上記の方法で微調整することで誤差を解消することができる。
【００４１】
４．特許請求の範囲との対応関係
フォーカスレンズ１１２は、フォーカスレンズの一例である。ＣＣＤイメージセンサ１２０は、撮像手段の一例である。コントローラ１５０は、制御手段の一例である。液晶モニタ１７０は、表示手段の一例である。操作部１８０は、受付手段の一例である。EEPROM１６０は、記憶手段の一例である。フォーカスモータ１１４およびコントローラ１５０は、オートフォーカス制御調節手段の一例である。
【００４２】
（実施の形態２）
実施の形態２に係るデジタルカメラについて説明する。図１０は実施の形態２に係るデジタルカメラの電気的構成図である。
【００４３】
１．構成
実施の形態２に係るデジタルカメラ２００は、レンズ交換式のデジタルカメラであり、カメラ本体２１０と、カメラ本体２１０に対して着脱可能な交換レンズ２２０とを有する。
【００４４】
カメラ本体２１０は、実施の形態１のデジタルカメラ１００同様のCCDイメージセンサ１２０、ADC（アナログデジタルコンバータ）１２１、画像処理部１３０、液晶モニタ１７０、バッファメモリ１４０、コントローラ１５０Ａ、EEPROM１６０Ａ、及び操作部１８０を有している。さらに、カメラ本体２１０は、交換レンズ２２０と通信を行う通信部１９５Ａを備える。
【００４５】
交換レンズ２２０は、実施の形態１のデジタルカメラ１００同様の光学系１１０に加え、さらにコントローラ１５０Ｂと、EEPROM１６０Ｂを有している。さらに、交換レンズ２２０は、カメラ本体２１０と通信を行う通信部１９５Ｂを備える。
【００４６】
EEPROM１６０Ｂには、交換レンズ２２０の型式番号やシリアル番号等が記憶されている。
【００４７】
カメラ本体２１０のコントローラ１５０Ａと、交換レンズ２２０のコントローラ１５０Ｂは、通信部１９５Ａ，１９５Ｂを介して相互に通信を行って種々のデータを送受信することができる。
【００４８】
カメラ本体２１０のコントローラ１５０Ａは、カメラ本体２１０の制御を行うとともに、交換レンズ２２０のコントローラ１５０Ｂに対して、フォーカスレンズ１１２、ズームレンズ１１１、絞り１１６の駆動制御のための信号を出力する。
【００４９】
交換レンズ２２０のコントローラ１５０Ｂは、カメラ本体２１０からのフォーカスレンズ１１２、ズームレンズ１１１、絞り１１６の駆動制御のための信号に基づいて、フォーカスレンズ１１２、ズームレンズ１１１、絞り１１６の駆動を制御する。
【００５０】
また、カメラ本体２１０のコントローラ１５０Ａは、交換レンズ２２０が装着されている状態において、通信部１９５Ａ，１９５Ｂを介して交換レンズ２２０のコントローラ１５０Ｂと通信を行って、EEPROM１６０Ｂに記憶されている交換レンズ２２０の型式番号及びシリアル番号を取得し、EEPROM１６０Ａに記憶する。この取得動作は、例えば、カメラ本体２１０の電源ＯＮ時の初期化動作等において行えばよい。
【００５１】
２．動作
実施の形態２のデジタカルカメラ２００は、基本的に前述した図３、図７のフローチャートにしたがって動作するが、図３のフローチャートのS21、図７のフローチャートのS25では、レンズ交換式カメラ独特の処理を行う。以下、この点を中心に説明する。
【００５２】
実施の形態２のデジタカルカメラ２００において、カメラ本体２１０のコントローラ１５０Ａは、前述した図３のフローチャートのステップS21において、微調整量ｎを、交換レンズ２２０のシリアル番号毎に別々に記録する。例えば、カメラ本体２１０のコントローラ１５０Ａは、EEPROM１６０Ａ内に、交換レンズ２２０のシリアル番号と、微調整量ｎを対応付けて記録している。カメラ本体２１０のコントローラ１５０Ａは、微調整量ｎをEEPROM１６０Ａ内に記録するに際し、現在装着されている交換レンズ２２０のシリアル番号が、EEPROM１６０Ａ内に存在しているか否かを調べ、存在していないときは、新たに交換レンズ２２０のシリアル番号と微調整量ｎを対応付けて記録する。一方、シリアル番号が存在しているときは、カメラ本体２１０のコントローラ１５０Ａは、そのシリアル番号に対応する微調整量ｎのデータを更新する。なお、図３のフローチャートのS21以外においては、実施の形態１で説明したのと同様の処理が行われる。
【００５３】
また、フォーカス微調整動作について、カメラ本体２１０のコントローラ１５０Ａは、前述した図７のフローチャートのステップS25において、EEPROM１６０から図３のステップS２１にて記憶したフォーカスレンズ位置の微調整量ｎを読み出す。このとき、コントローラ１５０Ａは、現在装着されている交換レンズ２２０のシリアル番号に基づいて、このシリアル番号に対応するフォーカスレンズ位置の微調整量ｎを読み出す。そして、例えば、微調整量ｎが３であるとき、コントローラ１５０Ａは、前述のL´の３倍をフォーカスレンズ移動量として算出する。コントローラ１５０Ａは決定したフォーカスレンズ移動量に従ってフォーカスモータ１１４をステップS22により一度定めた合焦位置から移動させる（S25）。
【００５４】
コントローラ１５０Ａは、使用者によりレリーズ釦１８１が全押しされると、ステップS21で設定された微調整量ｎで撮像された画像データをメモリカード１９２に保存する。
【００５５】
以上のように、実施の形態２によれば、レンズ交換式のデジタルカメラ２００において、使用者が所望するフォーカスレンズ位置のズレを容易に再現することができる。
【００５６】
また、レンズ交換式デジタルカメラにおいては、レンズ寸法の個体差によるCCDイメージセンサ位置と像結像位置のズレが生じるが、本実施形態によれば、このようなズレを交換レンズ毎に視覚的に補正することが可能となる。これによりレンズ光学系の性能を最大限に引き出すことが出来る。
【００５７】
（その他の実施の形態）
実施の形態１、２では、オートフォーカスの合焦方式としてコントラスト検出方式を採用しているが、実施の形態１、２で説明した技術思想は、位相差検出方式にも適用可能である。コントラスト検出方式では、図５を参照して前述したようにコントラスト値が最も高い４の位置を中心としてフォーカスレンズ位置を変えて複数点のブラケット撮影を行うが、位相差検出方式に適用した場合には、位相差検出により最も位相差が小さいとして検出された合焦位置を中心としてフォーカスレンズ位置を変えて複数点のブラケット撮影を行えばよい。この場合においても、Ｌ及びＬ′について、実施の形態１の考え方を適用可能である。
【００５８】
なお、コントラスト検出方式では、CCDイメージセンサ１２０により生成された画像データに基づいてコントラスト検出を行うことが可能であるが、位相差検出方式では、別途位相差検出用のＡＦセンサが必要となる。ＡＦセンサは、配置位置に微小ながら位置ずれが存在している。カメラ本体を、使用者が被写体までの距離を入力可能に構成することにより、この距離とＡＦセンサで検出した距離との誤差をカメラ本体で演算することにより、ＡＦセンサ位置のずれに伴う合焦位置のずれを補正することができる。
【００５９】
また、実施の形態１、２では、ＣＣＤイメージセンサ１２０を撮像手段の一例としたが、ＣＭＯＳイメージセンサやＮＭＯＳイメージセンサなど、他の撮像素子を用いてもよい。また、実施の形態１、２では、微調整量ｎの設定において単位移動量をＬとしたが、１／２Ｌ、１／３Ｌ等、Ｌのｉ分の１（ｉは整数）としてもよい。
【産業上の利用可能性】
【００６０】
本発明はデジタルカメラ以外にも適用可能である。例えばデジタルムービーカメラや、カメラ付携帯電話等、画像を撮像し表示する機器であれば適用することができる。
【符号の説明】
【００６１】
１００，２００…デジタルカメラ
１１１…ズームレンズ
１１２…フォーカスレンズ
１１３…ズームモータ
１１４…フォーカスモータ
１１５…絞り駆動モータ
１１６…絞り
１２０…CCDイメージセンサ
１３０…画像処理部
１５０，１５０Ａ，１５０Ｂ…コントローラ
１６０，１６０Ａ，１６０Ｂ…EEPROM
１７０…液晶モニタ
１８０…操作部
【図１】
2011048341.tif 000003
【図２】
2011048341.tif 000004
【図３】
2011048341.tif 000005
【図４】
2011048341.tif 000006
【図５】
2011048341.tif 000007
【図６】
2011048341.tif 000008
【図７】
2011048341.tif 000009
【図８】
2011048341.tif 000010
【図９】
2011048341.tif 000011
【図１０】
2011048341.tif 000012